(57)【要約】【課題】  デジタルカメラのような電子機器において、従来行われている静電気の放電対策は、外装カバーの継ぎ目と回路基板の間にアース接続された導電性部材を配置したり、電子機器内部に配置された電池のマイナス端子に当接する接点ばねを延出させ、電池以外の導電性部材に弾性的に当接し、該導電性部材を静電気の侵入径路中に配置していた。しかし、導電性部材を新たに追加するため部品点数や組立工数が増加する。または、外装カバー継ぎ目の隙間と回路基板の間に導電性部材が配置されない構成の場合、外装カバー継ぎ目から回路基板に向かって放電された静電気を防ぐことが出来ない。【解決手段】  電池のマイナス端子に当接することにより電気的接続がなされる導電端子が設けられた電池接点ばね１２の一部を延出し、外装カバー継ぎ目１３から延出した部位１２ａまでの距離を外装カバー継ぎ目１３から回路基板１４までの縁面距離よりも短くし、空気中の静電気が電子機器内部の回路基板１４に放電されることを防ぐ。【選択図】        図３
2006196213.tif 000002
【特許請求の範囲】
【請求項１】
電池のマイナス端子に当接することにより電気的接続がなされる導電端子が設けられた電池接点ばねを備えた電子機器において、その電池接点ばねは一部を延出した部位を備え、外装カバー継ぎ目から該延出した部位までの距離は外装カバー継ぎ目から回路基板までの縁面距離よりも短いことを特徴とする電子機器。
【請求項２】
請求項１に記載の電子機器において、前記電池はバックアップ用の時計電池であることを特徴とする電子機器。
【請求項３】
請求項１または２に記載の電子機器において、前記電子機器はデジタルカメラであることを特徴とする電子機器。
【発明の詳細な説明】
【技術分野】
【０００１】
本発明は電子機器に関し、電池のマイナス端子に当接することにより電気的に接続される導電端子が設けられた接点ばねを有する電池接点ばねに関係する。
【背景技術】
【０００２】
デジタルカメラのような電子機器を静電気が発生しやすい環境で使用すると、電子機器の外装カバー継ぎ目の僅かな隙間を介して、電子機器内部の回路基板に空気中の静電気が高電圧で放電され電子回路が破壊されてしまったり、または誤動作を生じることがある。そこで外装カバーの継ぎ目と回路基板の間にアース接続された導電性部材を配置することで、外装カバーの継ぎ目を介して電子機器内部に侵入する静電気を上記導電性部材に放電し回路基板の破壊や誤動作を防止している。
【０００３】
しかし、導電性部材を新たに追加するために部品点数が増加し、かつ導電性部材をアース接続するためのハンダ付けやビス締めなどの組立工数が増加する。これを防止する為に、電子機器内部に配置された電池のマイナス端子に当接する接点ばねを延出させ、電池以外の導電性部材に弾性的に当接し、その導電性部材を静電気の侵入径路中に配置することで、電子機器内部の電子回路を静電気から守る構成が開示されている（例えば、特許文献１参照）。
【特許文献１】特開平７−３２６２４４号公報
【発明の開示】
【発明が解決しようとする課題】
【０００４】
従来行われている静電気の放電対策の一つは、上述した如き電子機器内部に配置された電池のマイナス端子に当接する接点ばねを延出させ、電池以外の導電性部材に弾性的に当接し、該導電性部材を静電気の侵入径路中に配置することで、電子機器内部の電子回路を静電気から守っている。
【０００５】
しかし、外装カバー継ぎ目の隙間と回路基板の間に導電性部材が配置されない構成の場合、外装カバー継ぎ目から回路基板に向かって放電された静電気を防ぐことが出来ない。また、外装カバー継ぎ目と回路基板の間に導電性部材を配置する空間が存在し導電性部材を配置したのでは、部品点数の増加や導電性部材の固定など組立工数の増加という課題が発生する。
【０００６】
本発明は、以上の点に着目して成されたもので、部品点数の増加や追加部品に伴う組立工数の増加なしに、空気中の静電気が電子機器内部の回路基板に放電されることを防ぐことができ、電子回路の破壊や誤動作を防止することができる電子機器を提供することを目的とする。
【課題を解決するための手段】
【０００７】
電池のマイナス端子に当接することにより電気的接続がなされる導電端子が設けられた電池接点ばねを備えた電子機器において、該電池接点ばねは一部を延出した部位を備え、外装カバー継ぎ目から延出した部位までの距離が外装カバー継ぎ目から回路基板までの縁面距離よりも短いことを特徴とする電子機器。
【０００８】
該電池はバックアップ用の時計電池であることを特徴とする電子機器。
【０００９】
該電子機器はデジタルカメラであることを特徴とする。
【発明の効果】
【００１０】
請求項１に記載のように、
電池のマイナス端子に当接することにより電気的接続がなされる導電端子が設けられた電池接点ばねを備えた電子機器において、該電池接点ばねは一部を延出した部位を備え、該延出した部位を外装カバー継ぎ目と回路基板の間に配置することで、電子機器の外装カバー継ぎ目の隙間を介して電子機器内部に侵入した空気中の静電気は電池接点ばねに放電する。その結果、部品点数の増加や追加部品に伴う組立工数の増加なしに、空気中の静電気が電子機器内部の回路基板に放電されることを防ぐことができ、電子回路の破壊や誤動作を防止することが出来る。
【発明を実施するための最良の形態】
【００１１】
以下、図面を用いて本発明を実施するための最良の形態を説明する。
【実施例】
【００１２】
図１は本実施例で用いるデジタルカメラ全体の右前方からの斜視図であり、図２は左後方からの斜視図である。
【００１３】
デジタルカメラ１はレリーズボタン２と被写体をデジタルカメラ内部に取り込むための撮影レンズ及び鏡筒ユニット３、ＬＣＤ７を備え、外装カバーは前方略半分の前カバー４と後方略半分の後カバー５から構成されている。
【００１４】
図５はデジタルカメラ１のブロック図である。図示のようにデジタルカメラ１には撮像部２０、撮像信号処理部２５、制御部３０、操作部４０、表示部５０、電源部６０が設けられている。
【００１５】
撮像部２０はフォーカスレンズやズームレンズなどの撮像レンズ２１とＣＣＤ２２からなり、撮像レンズ２１を通過した被写体像がＣＣＤ２２の受光面上に結像し、結像した被写体の光量に応じ、電荷が蓄積される。撮像信号処理部２５ではＣＣＤ２２から出力されたアナログ信号をＲ，Ｇ，Ｂ成分に分解し、ホワイトバランスが調整される。さらに撮像信号処理部２５ではガンマ補正を行い、必要なタイミングでＲ，Ｇ，Ｂを順次Ａ／Ｄ変換し、得られたデジタル画像データを制御部３０に出力する。
【００１６】
制御部３０はＣＰＵ３１とメモリ制御部３２からなる。ＣＰＵ３１は操作部４０からの入力に基づいてデジタルカメラ１内部の回路各部を統括制御する。メモリ制御部３２は揮発性メモリと不揮発性メモリを制御する。工場出荷時の調整値などは不揮発性メモリに格納されており電源供給が絶たれた状況でも保持し続ける。
【００１７】
操作部４０はユーザによるスイッチ操作を検出し制御部３０に制御信号を出力する。パワースイッチ４１はデジタルカメラ１の電源ＯＮ／ＯＦＦを決める。レリーズボタン２は半押しと全押しの二段階押し込み構造になっている。半押しで、ＡＦおよびＡＥをロックし、全押しで撮影画像の取り込みが行われる。操作部４０ではこれらスイッチの他、回転モードダイヤルや十字キー等によるボタン設定をしてもよく、機能設定ボタン８と称している。
【００１８】
表示部５０はＬＣＤ７、ＬＣＤ駆動回路５１を備えており、ＬＣＤ７はＬＣＤ駆動回路５１により制御されることにより画像データを表示する。
【００１９】
電源部６０はＤＣＤＣコンバータ６１と単三電池６からなり、単三電池６からの出力電圧をＤＣＤＣコンバータ６１で各種電圧に変換する。変換された各種電圧は撮像部２０や制御部３０、表示部５０などに供給される。
【００２０】
機能設定ボタン８を用いてユーザが設定できる項目としては、解像度、感度、ストロボ発光／非発光などの撮影条件や時計などがあり、設定内容は揮発性メモリに保存される。単三電池６の交換時は内蔵の時計電池、本携帯ではリチウム電池９から揮発性メモリに電源を供給することで、該揮発性メモリに保存された該設定項目は保持し続ける。
【００２１】
図３は後カバー５を外した状態でのリチウム電池周辺の左後方からの分解斜視図であり、図４は回路基板１４を外した状態でのリチウム電池周辺の右後方からの分解斜視図である。リチウム電池９はリチウム電池ホルダー１０に搭載され、リチウム電池ホルダー１０にはリチウム電池のプラス端子に当接し電気的接続をする導電端子を設けたプラス極電池接点ばね１１とリチウム電池のマイナス端子に当接し電気的接続をする導電端子を設けたマイナス極電池接点ばね１２を備える。該マイナス極電池接点ばね１２は一部を延出した部位１２ａを備え、該延出した部位１２ａは前カバーと後カバーの継ぎ目１３と回路基板１４の間に位置する。該継ぎ目１３から該延出した部位１２ａまでの縁面距離は、該継ぎ目１３から該回路基板１４までの縁面距離より短い。
【００２２】
以上の構成において、デジタルカメラ１を静電気が発生しやすい環境で使用すると、デジタルカメラ１の前カバー４と後カバー５の継ぎ目１３の僅かな隙間１３を介して、デジタルカメラ内部に侵入した空気中の静電気は該隙間からの縁面距離が近い該延出した部位１２ａに放電され該マイナス極電池接点ばね１２に伝わる。そのため回路基板１４に高電圧である空気中の静電気が放電されることがないため、回路基板上の電子回路の破壊を防ぐことが可能である。
【図面の簡単な説明】
【００２３】
【図１】デジタルカメラ全体の右前方からの斜視図
【図２】デジタルカメラ全体の左後方からの斜視図
【図３】リチウム電池周辺の左後方からの分解斜視図
【図４】リチウム電池周辺の右後方からの分解斜視図
【図５】ブロック図
【符号の説明】
【００２４】
１      デジタルカメラ
２      レリーズボタン
３      鏡筒ユニット
４      前カバー
５      後カバー
６      単三電池
７      ＬＣＤ
８      機能設定ボタン
９      リチウム電池
１０    リチウム電池ホルダー
１１    プラス極電池接点ばね
１２    マイナス極電池接点ばね
１２ａ  マイナス極電池接点ばねの一部を延出した部位
１３    前カバーと後カバーの継ぎ目
１４    回路基板
２０    撮像部
２１    撮像レンズ
２２    ＣＣＤ
２５    撮像信号処理部
３０    制御部
３１    ＣＰＵ
３２    メモリ制御部
４０    操作部
４１    パワー
５０    表示部
５１    ＬＣＤ駆動回路
６０    電源部
６１    ＤＣＤＣコンバータ
【図１】
2006196213.tif 000003
【図２】
2006196213.tif 000004
【図３】
2006196213.tif 000005
【図４】
2006196213.tif 000006
【図５】
2006196213.tif 000007